(57)【要約】【課題】不特定多数の人がいる場所で印刷対象画像のプライバシーを守りつつ、印刷内容の確認が可能な画面を表示する。【解決手段】  画像形成装置１は、画像形成部６が印刷対象画像の印刷を行う前に、印刷確認画面として、印刷対象画像と、用紙において印刷が可能な印刷領域を示す画像とを重ね合わせた画像を表示部３に表示させる表示制御部１１を備える。表示制御部１１は、印刷対象画像が印刷領域をはみ出している場合、印刷対象画像のうち印刷領域内に収まっている画像部分を表示部３に表示させず、印刷対象画像のうち印刷領域をはみ出しているはみ出し領域の画像については、予め定められた条件を満たすか否かに応じて、表示部３にその画像内容を表示させるか、又は画像内容を非表示として印刷対象画像の輪郭を示す枠の画像のみとして表示させるかを切り換える表示制御を行う。【選択図】図４
2019077121.tif 000002
【特許請求の範囲】
【請求項１】
印刷対象画像を用紙に印刷する画像形成部と、
画像を表示する表示部と、
前記画像形成部が前記印刷対象画像の印刷を行う前に、印刷確認画面として、前記印刷対象画像と、前記用紙において印刷が可能な印刷領域を示す画像とを重ね合わせた画像を前記表示部に表示させる表示制御部とを備え、
前記表示制御部は、前記印刷対象画像が前記印刷領域をはみ出している場合、前記印刷対象画像のうち前記印刷領域内に収まっている画像部分を前記表示部に表示させず、前記印刷対象画像のうち前記印刷領域をはみ出しているはみ出し領域の画像については、予め定められた条件を満たすか否かに応じて、前記表示部にその画像内容を表示させるか、又は画像内容を非表示として前記印刷対象画像の輪郭を示す枠の画像のみとして表示させるかを切り換える表示制御を行う画像形成装置。
【請求項２】
ユーザーからの選択入力を受け付ける入力受付部を更に備え、
前記印刷対象画像が前記印刷領域をはみ出している場合、前記入力受付部は、前記はみ出し領域の画像を前記表示部に表示するか否かの選択入力を受け付け、
前記表示制御部は、前記入力受付部が前記はみ出し領域の画像を前記表示部に表示する旨の選択入力を受け付けたときは前記予め定められた条件を満たしたとして、前記はみ出し領域の画像の画像内容を前記表示部に表示させ、前記入力受付部が前記はみ出し領域の画像を前記表示部に表示させない旨の選択入力を受け付けたときは、前記予め定められた条件を満たしていないとして、前記はみ出し領域の画像を、その画像内容を非表示として前記枠の画像のみで表示させる請求項１に記載の画像形成装置。
【請求項３】
前記表示制御部は、前記はみ出し領域の画像の印刷率が予め定められた値以下である場合は、前記予め定められた条件を満たしたとして、前記はみ出し領域の画像の画像内容を前記表示部に表示させ、前記はみ出し領域の画像の印刷率が予め定められた値よりも大きい場合は、前記予め定められた条件を満たしていないとして、前記はみ出し領域の画像を、その画像内容を非表示として前記枠の画像のみで表示させる請求項１に記載の画像形成装置。
【請求項４】
前記表示制御部は、前記はみ出し領域の画像を表示させるとき、前記はみ出し領域における印刷対象画像部分の解像度を下げて画像内容を前記表示部に表示させる請求項１又は請求項２に記載の画像形成装置。
【請求項５】
前記表示制御部は、前記印刷対象画像がイメージ画像である場合は、前記予め定められた条件を満たしたとして、前記はみ出し領域の画像の画像内容を前記表示部に表示させ、前記印刷対象画像が文字画像である場合は、前記予め定められた条件を満たしていないとして、前記はみ出し領域の画像を、その画像内容を非表示として前記枠の画像のみで表示させる請求項１に記載の画像形成装置。
【請求項６】
前記表示制御部は、前記印刷対象画像が文字画像である場合は、前記表示部に、前記はみ出し領域の画像を、その画像内容を非表示として前記枠の画像のみで表示させると共に、印刷に用いる用紙のサイズを変更すべき旨を示すメッセージを表示させる請求項５に記載の画像形成装置。
【請求項７】
前記表示制御部は、前記画像形成部による印刷が両面印刷の場合、前記表示部に、用紙表面に印刷される印刷対象画像と、用紙裏面に印刷される印刷対象画像を並べて表示させ、当該用紙表面及び用紙裏面に印刷される前記印刷対象画像のそれぞれについて、前記表示制御を行う請求項１乃至請求項６のいずれかに記載の画像形成装置。
【発明の詳細な説明】
【技術分野】
【０００１】
本発明は、用紙に画像を印刷する画像形成装置に関する。
【背景技術】
【０００２】
昨今、コンビニエンスストアや写真店等で簡単に写真や文書を印刷できるサービスが普及している。このとき、不特定多数の人がいる環境で、画像形成装置に接続された表示パネルに印刷したい写真や文書等が表示されると、プライバシーや秘密保持の面で問題があった。
【０００３】
特許文献１には、携帯電話のＧＰＳ（Global Positioning System）等を使ってユーザーの居場所が不特定多数の人がいる場所か否かを判断し、不特定多数の人がいる場所であるときは携帯電話の画面に個人情報を非表示にする方法が記載されている。
【先行技術文献】
【特許文献】
【０００４】
【特許文献１】特開２００９−２６７５０４号公報
【発明の概要】
【発明が解決しようとする課題】
【０００５】
画像形成装置で印刷する際は、印刷ミスを防ぐために、希望の写真や文書が用紙の印刷領域に収まっているかを表示パネル等で確認できることが望ましい。しかしながら、特許文献１の方法は、不特定多数の人がいる場所では個人情報等を非表示とする方法であり、印刷対象とされる写真や文書の内容を表示させるか否かについては記載されていない。
【０００６】
本発明は、不特定多数の人がいる場所で印刷対象画像の秘匿性を保ちつつ、印刷確認画面を表示することを目的とする。
【課題を解決するための手段】
【０００７】
本発明の一局面に係る画像形成装置は、印刷対象画像を用紙に印刷する画像形成部と、画像を表示する表示部と、前記画像形成部が前記印刷対象画像の印刷を行う前に、印刷確認画面として、前記印刷対象画像と、前記用紙において印刷が可能な印刷領域を示す画像とを重ね合わせた画像を前記表示部に表示させる表示制御部とを備え、前記表示制御部は、前記印刷対象画像が前記印刷領域をはみ出している場合、前記印刷対象画像のうち前記印刷領域内に収まっている画像部分を前記表示部に表示させず、前記印刷対象画像のうち前記印刷領域をはみ出しているはみ出し領域の画像については、予め定められた条件を満たすか否かに応じて、前記表示部にその画像内容を表示させるか、又は画像内容を非表示として前記印刷対象画像の輪郭を示す枠の画像のみとして表示させるかを切り換える表示制御を行うものである。
【発明の効果】
【０００８】
本発明は、表示制御部が、印刷対象画像が印刷領域をはみ出している場合は、印刷対象画像のうち印刷領域内に収まっている画像部分を表示部に表示させず、印刷対象画像のうち印刷領域をはみ出しているはみ出し領域の画像を条件に応じて表示部に表示させるか否かを切り換えるので、印刷対象画像のうち印刷される領域部分を、不特定多数の人物に見られることを防ぎつつ、ユーザーは、印刷対象画像が印刷領域からはみ出しているか否かを確認可能となる。また、ユーザーは、はみ出し領域の画像の内容を確認することも可能である。従って、本発明によれば、ユーザーは、印刷対象画像の秘匿性を保ちつつ、印刷レイアウトの確認を行うことができる。
【図面の簡単な説明】
【０００９】
【図１】画像形成装置の電気的構成を示すブロック図である。
【図２】印刷確認画面表示処理の流れを示したフローチャートである。
【図３】表示部が表示する画面の一例を示した図である。
【図４】表示部が表示する画面の一例を示した図である。
【図５Ａ】表示部が表示する画面の一例を示した図である。
【図５Ｂ】表示部が表示する画面の一例を示した図である。
【図６】はみ出し領域表示処理の流れを示したフローチャートである。
【図７】表示部が表示する画面の一例を示した図である。
【図８】表示部が表示する画面の一例を示した図である。
【発明を実施するための形態】
【００１０】
以下、本発明の一実施形態にかかる画像形成装置について図面を参照して説明する。
【００１１】
図１は、本発明の実施の形態における画像形成装置１の内部構成を示すブロック図である。本実施形態では、画像形成装置１は原稿の画像を読み取って用紙に印刷するコピー機として説明するが、この他に、ファクシミリ、プリンターの他、ファクシミリ機能、スキャナ機能及びコピー機能等の複数の機能を備えた複合機等の、印刷確認画面が表示される装置であればよい。画像形成装置１は、制御ユニット１００、入力操作部２（入力受付部）、表示部３、画像読取部４、画像メモリー５及び画像形成部６等で構成される。
【００１２】
入力操作部２は、例えば、メニューを呼び出すメニューボタン、操作の実行を指示するスタートボタン及びストップボタン等のハードボタンを備えている。入力操作部２は、ユーザーからの操作指示を受け付ける。
【００１３】
表示部３は、液晶ディスプレイ（ＬＣＤ：Liquid Crystal Display）や有機ＥＬ（ＯＬＥＤ：Organic Light-Emitting Diode）ディスプレイを備え、例えば、タッチパネルと一体型である。タッチパネルは、所謂抵抗膜方式や静電容量方式などのタッチパネルであって、入力操作部２としても機能する。タッチパネルは、ユーザーの指などの接触（タッチ）と、接触位置を検知する。
【００１４】
画像読取部４は、原稿を読み取って原稿画像を取得する。そして画像メモリー５が、この原稿画像を記憶する。画像形成部６は、画像読取部４が読み取った原稿画像や、外部装置から送信された画像を用紙に印刷する。
【００１５】
ＵＳＢインターフェイス９１は、外部メモリーとしてのＵＳＢメモリーが差し込まれ、当該ＵＳＢメモリーと制御ユニット１００と接続させる。この接続により、制御ユニット１００の制御部１０によりＵＳＢメモリーからのデータ読み出しが可能となる。
【００１６】
ネットワークインターフェイス部９２は、ＬＡＮボード等の通信モジュールから構成され、当該ネットワークインターフェイス部９２に接続されたＬＡＮ等を介して、ローカルエリア内又はインターネット上のコンピューター２０等と種々のデータの送受信を行う。
【００１７】
制御ユニット１００は、プロセッサー、ＲＡＭ(Random Access Memory）、及びＲＯＭ（Read Only Memory）などから構成される。プロセッサーは、ＣＰＵ（Central Processing Unit）、ＭＰＵ、又はＡＳＩＣ等である。この制御ユニット１００は、上記のＲＯＭ等に記憶された制御プログラムが上記のプロセッサーで実行されることにより、制御部１０、表示制御部１１、及び用紙サイズ設定部１２として機能する。なお、制御ユニット１００の上記各部は、制御プログラムに基づく動作によらず、それぞれハード回路により構成されてもよい。
【００１８】
制御部１０は、画像形成装置１の全体的な動作制御を司る。表示制御部１１は、表示部３の表示制御を行う。用紙サイズ設定部１２は、画像読取部４が読み取った原稿画像の大きさや、ユーザーが入力操作部２を操作して選択した用紙サイズに従って、印刷する用紙の大きさを設定する。
【００１９】
次に、本実施の形態における印刷確認画面表示処理について詳しく説明する。図２は、印刷確認画面表示処理の流れを示したフローチャートである。また、図３〜図５Ｂは、表示部３が表示する画面の一例を示した図である。
【００２０】
例えば、ユーザーは、持参したＵＳＢメモリーをＵＳＢインターフェイス９１に差し込み、ＵＳＢメモリーを制御ユニット１００に接続する。制御部１０は、当該ＵＳＢメモリーから印刷対象画像を読み出す。或いは、ユーザーは、上記コンピューター２０を操作して、当該コンピューター２０から印刷対象画像を画像形成装置１に送信し、画像形成装置１では、ネットワークインターフェイス部９２を介して制御部１０が当該印刷対象画像を受信する。又は、制御部１０は、画像読取部４による読取で得られた画像を印刷対象画像として取得する。
【００２１】
このように制御部１０が印刷対象画像を取得すると、用紙サイズ設定部１２が、ユーザーが入力操作部２を操作して選択した用紙サイズ等を、印刷に用いる用紙サイズとして暫定的に設定する（Ｓ１１）。
【００２２】
そして、表示制御部１１は、印刷対象画像と、この時点で暫定的に設定されている用紙サイズの用紙における印刷領域を示す画像とを重ね合わせた画像を、表示部３に表示させる（Ｓ１２）。
【００２３】
このとき、表示制御部１１は、印刷領域の輪郭を示す印刷領域枠８１の内側に位置し、印刷領域に収まる印刷対象画像部分については、印刷対象画像の画像内容を表示させず、印刷対象画像の輪郭を示す印刷画像枠８３のみを表示部３に表示させる（Ｓ１２）。これにより、これから印刷対象画像であって、印刷領域内に収まる部分の画像内容が他人の目に触れることを防止できる。
【００２４】
また、表示制御部１１は、印刷対象画像のうち印刷領域をはみ出しているはみ出し領域の画像については、表示部３に画像内容を表示させず、印刷対象画像の輪郭を示す印刷画像枠８３のみを表示部３に表示させる（Ｓ１２）。
【００２５】
Ｓ１２において表示部３が表示する画面の一例を図３に示す。例えば、印刷対象画像が印刷領域内に収まる場合、印刷領域枠８１の内側に印刷画像枠８３を表示させ、印刷対象画像の画像内容は表示させない。この場合、表示制御部１１は、はみ出し領域を表示させない。このとき、表示制御部１１は、ユーザーから、この時点で設定されている用紙サイズを確定させる指示を受け付けるための確定ボタン５１を、上記印刷領域枠８１及び印刷画像枠８３の画像と共に、表示部３に表示させる。
【００２６】
ここで、ユーザーにより確定ボタン５１が押下されると、タッチパネルを介して、印刷の用いられる用紙サイズとして、この時点で暫定的に設定されている用紙サイズを確定させる指示を用紙サイズ設定部１２が受け付けた場合は（Ｓ１３でＹＥＳ）、用紙サイズ設定部１２は、当該用紙サイズを印刷対象画像の印刷に用いる用紙サイズとして確定させる（Ｓ１８）。この後、制御部１０は、当該確定された用紙サイズの用紙を用いて、画像形成部６により印刷対象画像を印刷させる（Ｓ１９）。
【００２７】
Ｓ１２において表示部３が表示する画面の更に他の例を図４に示す。印刷対象画像が印刷領域内に収まらない場合、表示制御部１１は、図４に示すように、印刷対象画像のうち印刷領域をはみ出しているはみ出し領域９５の画像については、表示部３に画像内容を表示させず（例えば、無地一色の画像等に変換して表示する）、印刷対象画像の輪郭を示す印刷画像枠８３のみを表示部３に表示させる。すなわち、表示制御部１１は、印刷対象画像が印刷領域内に収まらない場合にのみ、はみ出し領域９５を表示させる。
【００２８】
この場合、表示制御部１１は、上記印刷領域枠８１及び印刷画像枠８３の画像と、上記確定ボタン５１と共に、表示切換案内画像５９を表示させる。表示制御部１１は、表示切換案内画像５９内に、ユーザーからはみ出し領域９５の画像を表示させる旨の指示を受け付けるための「表示」ボタン５３を表示させている。ここで、ユーザーにより確定ボタン５１が操作された場合は、上記と同様に、この時点で暫定的に設定されている用紙サイズを、用紙サイズ設定部１２が、印刷対象画像の印刷に用いる用紙サイズとして確定する（Ｓ１８）。この後、制御部１０は、当該確定された用紙サイズの用紙を用いて、画像形成部６により印刷対象画像を印刷させる（Ｓ１９）。
【００２９】
一方、ユーザーにより「表示」ボタン５３が操作された場合は、タッチパネルを介して、はみ出し領域９５における印刷対象画像部分の画像内容を表示させる旨の指示を表示制御部１１が受け付ける（Ｓ１４でＹＥＳ）。表示制御部１１は、このようにユーザーによる、はみ出し領域９５の画像を表示させる旨の指示を受け付けたことを条件（特許請求の範囲における「予め定められた条件」の一例）として、当該指示に従って、図５Ａに例を示すように、はみ出し領域における印刷対象画像部分の画像を表示させる（Ｓ１５）。このとき、表示制御部１１は、用紙サイズの変更案内画像５８を、確定ボタン５１と共に表示部３に表示させる。この用紙サイズの変更案内画像５８には、この時点で暫定的に設定されている用紙サイズを示すメッセージ５８０と、用紙サイズの変更指示を受け付けるために他の用紙サイズを示す用紙サイズボタン５８１，５８２が表示される。
【００３０】
ここで、用紙サイズの変更案内画像５８の表示時に、ユーザーにより上記用紙サイズボタンが押下されることなく、ユーザーにより確定ボタン５１が操作された場合は（Ｓ１６でＮＯ）、この時点で暫定的に設定されている用紙サイズを、用紙サイズ設定部１２が、印刷対象画像の印刷に用いる用紙サイズとして確定する（Ｓ１８）。この後、制御部１０は、当該確定された用紙サイズの用紙を用いて、画像形成部６により印刷対象画像を印刷させる（Ｓ１９）。
【００３１】
一方、Ｓ１６において、ユーザーが用紙サイズを変更するために、例えば、ユーザー所望の用紙サイズを示す用紙サイズボタンを押下すると（Ｓ１６でＹＥＳ）、タッチパネルを介して、用紙サイズ設定部１２が、当該押下された用紙サイズボタンが表示して当該用紙サイズボタンに対応付けられている用紙サイズを受け付け、この時点で設定されていた用紙サイズを、当該受け付けた用紙サイズに変更する（Ｓ１７）。すなわち、ユーザーは、表示されている用紙サイズボタンのうち、所望の用紙サイズを示す用紙サイズボタンを押下することで、この時点で設定されている用紙サイズを所望の用紙サイズに変更が可能である。この後、処理は、Ｓ１２に戻り、Ｓ１２以降の処理が繰り返される。これにより、変更した用紙サイズの用紙を印刷に用いる場合に、印刷対象画像が印刷領域に収まるか否かを、ユーザーが表示部３による表示で確認可能となる。
【００３２】
例えば、ユーザーによる指示に基づいて用紙サイズがＢ５サイズからＡ４サイズに変更された場合、図５Ｂに示すような、印刷画像枠８３と印刷領域枠８１の関係が変化した表示画面を表示制御部１１が表示部３に表示させる（Ｓ１２）。図５Ｂでは、印刷画像枠８３が、Ａ４サイズに拡大された印刷領域枠８１に収まっている、すなわち、印刷対象画像が印刷領域内に収まっている状態を示している。
【００３３】
ここで、ユーザーにより確定ボタン５１が操作された場合は（Ｓ１６でＮＯ）、この時点で暫定的に設定されている用紙サイズ（ここではＡ４サイズ）を、用紙サイズ設定部１２が、印刷対象画像の印刷に用いる用紙サイズとして確定する（Ｓ１８）。この後、制御部１０は、当該確定された用紙サイズの用紙を用いて、画像形成部６により印刷対象画像を印刷させる（Ｓ１９）。
【００３４】
コンビニエンスストアや写真店等の不特定多数の人がいる環境下で、印刷確認画面内に実際の印刷対象画像が表示されると、印刷対象画像が他人の目に触れやすくなり、秘密保持等の面で問題がある。本実施形態によれば、上記Ｓ１２の処理により、印刷対象画像のうち印刷される印刷領域内に収まる部分を、不特定多数の人物に見られることを防ぎつつ、ユーザーは、印刷対象画像が印刷領域からはみ出しているか否かを確認可能である。また、ユーザーは、入力操作部２の操作で指示を入力することによって、はみ出し領域部分の印刷対象画像の画像内容を確認することも可能である。従って、本実施形態によれば、ユーザーは、印刷対象画像の秘匿性を保ちつつ、印刷レイアウトの確認を行うことができる。
【００３５】
次に、上記はみ出し領域における印刷対象画像を表示させるか否かの表示制御について他の実施形態を説明する。図６は、印刷領域枠８１からはみ出したはみ出し領域９５を表示するか否かについての処理を行うはみ出し領域表示処理を示したフローチャートである。上記実施形態における印刷確認画面表示処理、すなわち、はみ出し領域における印刷対象画像を表示させるか否かの表示制御では、ユーザーによる入力操作部２の操作で入力される指示に従って、上記はみ出し領域における印刷対象画像部分の画像内容を表示させるか否かを切り換えていたが、これに代えて、本実施形態では、はみ出し領域９５における印刷率に応じて、上記はみ出し領域における印刷対象画像部分の画像内容を表示させるか否かを切り換える。
【００３６】
制御部１０は、表示制御部１１によって上記はみ出し領域が表示部３に表示されているとき、上記はみ出し領域９５となる印刷対象画像部分について、その印刷率を算出し、その印刷率が予め定められた値（例えば、１０％）以下か否かを判断する（Ｓ２１）。ここでいう印刷率とは、はみ出し領域９５となる印刷対象画像部分における全画素数に対する、文字画像又はイメージ画像（写真画像を含むものとする）等を構成する画素の画素数の割合である。文字画像又はイメージ画像等を構成する画素は、例えば、モノクロ２値からなる印刷対象画像の場合は黒を示す「１」の画素であり、モノクロ２５６階調の場合は画素値「２５０」以上の画素である。
【００３７】
はみ出し領域９５となる印刷対象画像部分の印刷率が低い、つまりはみ出し領域９５には文字や絵等があまり含まれていない場合、はみ出し領域９５が表示部３に表示されて、他人の目に触れても差し支えがない場合がある。プライバシーや秘密保持の為とはいえ、はみ出し領域９５の内容が全く確認できないのはユーザーにとって不便であるため、本実施形態では、表示制御部１１は、はみ出し領域９５となる印刷対象画像部分の印刷率が低い場合は、はみ出し領域９５となる印刷対象画像部分の画像内容を表示させる。
【００３８】
したがって、はみ出し領域９５の印刷率が上記予め定められた値以下の場合（Ｓ２１でＹＥＳ）、このように印刷率が上記予め定められた値以下であることを条件（特許請求の範囲における「予め定められた条件」の一例）として、表示制御部１１は、はみ出し領域９５の画像を表示部３に表示させる（Ｓ２４）。図７は、はみ出し領域９５の印刷率が上記予め定められた値以下であった場合に表示部３に表示される画面の一例を示した図である。
【００３９】
一方、はみ出し領域９５の印刷率が上記予め定められたよりも大きい場合（Ｓ２１でＮＯ）、表示制御部１１は、はみ出し領域９５の画像を表示するか否かの選択入力を促すメッセージを含み、はみ出し領域９５の画像を表示していない表示画面を表示部３に表示させる（Ｓ２２）。ここでは、表示制御部１１は、図４に示した表示画面（表示切換案内画像５９を含む）を表示させるものとする。
【００４０】
ユーザーにより「表示」ボタン５３が操作された場合は、タッチパネルを介して、はみ出し領域の画像を表示させる旨の指示を表示制御部１１が受け付ける（Ｓ２３でＹＥＳ）。表示制御部１１は、当該指示に従って、図７に示したような、はみ出し領域９５における印刷対象画像部分の画像を表示させる（Ｓ２４）。
【００４１】
このように、表示制御部１１が、はみ出し領域９５の印刷率が上記予め定められた値以下である場合は表示し、上記予め定められた値より大きい場合はユーザーによる表示指示があった場合にのみ表示することで、ユーザーは印刷対象画像の秘匿性を保つべき画像内容は表示させないようにしつつ、はみ出し領域９５により印刷対象画像の画像内容を確認することが可能になる。
〈変形形態１〉
【００４２】
なお、本発明は上記実施の形態の構成に限られず種々の変形が可能である。
例えば、表示制御部１１は、はみ出し領域９５における印刷対象画像の画像内容を表示部３に表示させるとき、当該はみ出し領域９５の画像の解像度を下げて表示するようにしてもよい。図８は、このときに表示部３に表示される画面の一例を示した図である。このように、はみ出し領域９５の画像の解像度を下げて表示することで、他人に対しては、その画像を瞬間的に見ただけでは何の絵や文章が書いてあるのかを判別し難くしつつ、ユーザーに対しては、はみ出し領域９５のおおまかな内容を確認可能にすることができる。
【００４３】
また、表示制御部１１は、はみ出し領域９５における印刷対象画像部分を表示するか非表示するかの切換を、ユーザーから上記表示指示を受け付けたとき、又は、はみ出し領域９５における印刷対象画像部分の印刷率が予め定められた値以下であるとき、という条件に代えて、印刷対象画像がイメージ画像である、という条件を満たした場合に、はみ出し領域９５における印刷対象画像部分の画像の画像内容を表示部３に表示させるようにしてもよい。この場合、表示制御部１１は、例えば印刷対象画像が文字画像である場合は、印刷対象画像がイメージ画像であるという上記条件を満たしていないとして、はみ出し領域９５における印刷対象画像部分の画像内容を非表示とし、印刷画像枠８３のみで表示させる。当該表紙制御によれば、ユーザーが秘密を保持したい情報が記載されている蓋然性が高い文字画像については、はみ出し領域９５における画像の内容を非表示とし、ユーザーが秘密を保持したい情報が記載されている蓋然性が低いイメージ画像については、はみ出し領域９５における画像の内容を表示させることが可能になる。
【００４４】
この場合、表示制御部１１は、印刷対象画像が文字画像であり、はみ出し領域９５における画像の内容を非表示としたときに、表示部３に、印刷に用いる用紙のサイズを変更すべき旨を示すメッセージを、更に表示させるようにしてもよい。文字画像の場合、用紙上に画像の全領域が印刷されていないと情報伝達のための文書としては不十分となってしまうが、当該表示制御によれば、このような事態を回避することが可能になる。
〈変形形態２〉
【００４５】
また、表示制御部１１は、印刷対象画像が画像形成部６による両面印刷に用いられる場合は、表示部３に、用紙表面に印刷される印刷対象画像と、用紙裏面に印刷される印刷対象画像を並べて表示させ、当該用紙表面及び用紙裏面に印刷される印刷対象画像のそれぞれについて、上記図３及び図６に示した表示制御、又は、変形形態１として示した表示制御を行うようにしてもよい。
【００４６】
以上、説明したように、上記各実施形態及び変形形態によれば、不特定多数の人物に見られることを防ぎつつ、ユーザーは、印刷対象画像が印刷領域からはみ出しているか否かを確認可能となる。また、ユーザーは、はみ出し領域の画像の内容を確認することも可能である。従って、ユーザーは、印刷対象画像の秘匿性を保ちつつ、印刷レイアウトの確認を行うことができる。これにより、印刷対象画像の情報漏えいを防止しつつ、印刷失敗を少なくして、用紙やインクの無駄遣いを防ぐことも可能になる。
【００４７】
また、上記実施形態では、図１乃至図８を用いて上記実施形態により示した構成及び処理は、本発明の一実施形態に過ぎず、本発明を当該構成及び処理に限定する趣旨ではない。
【符号の説明】
【００４８】
１      画像形成装置
１０    制御部
１１    表示制御部
１２    用紙サイズ設定部
２      入力操作部
３      表示部
４      画像読取部
５      画像メモリー
６      画像形成部
【図１】
2019077121.tif 000003
【図２】
2019077121.tif 000004
【図３】
2019077121.tif 000005
【図４】
2019077121.tif 000006
【図５Ａ】
2019077121.tif 000007
【図５Ｂ】
2019077121.tif 000008
【図６】
2019077121.tif 000009
【図７】
2019077121.tif 000010
【図８】
2019077121.tif 000011